【手続補正書】
【提出日】平成17年3月8日(2005.3.8)
【手続補正１】
【補正対象書類名】明細書
【補正対象項目名】特許請求の範囲
【補正方法】変更
【補正の内容】
【特許請求の範囲】
【請求項１】  乗物用モジュラー装置であって：
細長い通路を形成している孔とその細長い孔を包囲するよう構成されたカバーとを有する一つ以上の細長い部材であり、該一つ以上の細長い部材が、乗物の車内天井部、車内積荷部及び車内側壁部の少なくとも一箇所に連結するよう適応させられているもの；
該一つ以上の細長い部材へ取り外し可能状態で取り付けるよう構成された一つ以上の物品；及び
該一つ以上の物品に用役を提供するための用役装置；
から成ることを特徴とする、モジュラー装置。
【請求項２】  該一つ以上の細長い部材が、細長い通路を形成している孔を該一つ以上の細長い部材の内部に備えることを特徴とする、請求項１のモジュラー装置。
【請求項３】  該一つ以上の細長い部材が、該細長い通路を包囲するように構成されたカバーを備えることを特徴とする、請求項２のモジュラー装置。
【請求項４】  該カバーが、多数の部屋に分割され経路様式を形成することがあることを特徴とする、請求項３のモジュラー装置。
【請求項５】  該一つ以上の細長い部材が、乗物の車内屋根部に連結され、且つ乗物の長軸に関して縦方向に向けられていることを特徴とする、請求項１のモジュラー装置。
【請求項６】  該一つ以上の細長い部材が、前方部と後方部とに区分されていることを特徴とする、請求項５のモジュラー装置。
【請求項７】  前方部及び後方部が、サンルーフによって分離されていることを特徴とする、請求項６のモジュラー装置。
【請求項８】  該一つ以上の細長い部材が、乗物の長軸に対して横方向に向けられていることを特徴とする、請求項１のモジュラー装置。
【請求項９】  該一つ以上の細長い部材が、内部ドアパネルに連結されていることを特徴とする、請求項１のモジュール装置。
【請求項１０】  該一つ以上の細長い部材が、乗物の内部側面パネルに連結されていることを特徴とする、請求項１のモジュール装置。
【請求項１１】  該一つ以上の物品が、該一つ以上の細長い部材へ交換可能状態で取り付けられていることを特徴とする、請求項１のモジュラー装置。
【請求項１２】  インターロックを更に備え、該一つ以上の細長い部材におけるそのインターロックによって制限された位置に、該一つ以上の物品が置かれるのを妨げることを特徴とする、請求項１のモジュラー装置。
【請求項１３】  用役装置が、一つ以上の用役供給源及び該一つ以上の細長い部材と連通した用役インターフェイスを備えていることを特徴とする、請求項１のモジュラー装置。
【請求項１４】  用役インターフェイスが複数の入出口を有し、該入出口は、一つ以上の用役供給源の一つとそれぞれ稼動状態で連結されていることを特徴とする、請求項１３のモジュラー装置。
【請求項１５】  該入出口が、一つ以上の用役運搬具の第一端部を、取り外し可能に収容するよう構成されていることを特徴とする、請求項１４のモジュラー装置。
【請求項１６】  該一つ以上の用役運搬具が、該一つ以上の物品と連通するよう適応させられた第二端部を有することを特徴とする、請求項１５のモジュラー装置。
【請求項１７】  該一つ以上の用役運搬具が、該細長い通路内を該インターフェイスから該一つ以上の物品まで、経路を設けられていることを特徴とする、請求項１５のモジュラー装置。
【請求項１８】  乗物用モジュラー装置であって：
細長い通路を形成している孔とその細長い通路を包囲するよう構成されたカバーとを有する一つ以上の細長い部材を乗物の内部に搭載する手段；
一つ以上の物品を該一つ以上の細長い部材へ取り外し可能状態で取り付ける手段；及び
該一つ以上の物品が該一つ以上の細長い部材に取り付けられた時、該一つ以上の物品に用役を提供する手段；
から成ることを特徴とする、モジュラー装置。
【請求項１９】  用役を提供する手段が、電気伝導性である該一つ以上の細長い部材の少なくとも一部を包含することを特徴とする、請求項１８のモジュラー装置。
【請求項２０】  該一つ以上の物品を取り外し可能に取り付ける手段が、工具を用いないで達成されることを特徴とする、請求項１８のモジュラー装置。
【請求項２１】  該一つ以上の物品のある所定の一つが該一つ以上の細長い部材の在る所定の位置に装着されるのを妨げる手段を、更に備えていることを特徴とする、請求項１８のモジュラー装置。
【請求項２２】  乗物の車内天井部、車内積荷部及び車内側壁部の少なくとも一箇所に連結された一つ以上の細長い部材を有する、乗物のモジュラー装置用装具一式であって：
乗物内部での使用に適応させられた一つ以上の物品；
該物品上の一つ以上の取り付け輪郭であり、該一つ以上の取り付け輪郭が該一つ以上の細長い部材上の細長い凹所と噛合うよう構成されているもの；及び
物品と連結された一つ以上の保持具であり、該一つ以上の保持具が該一つ以上の物品を取り外し可能に該一つ以上の細長い部材に取り付けるよう適応させられているもの；
から成ることを特徴とする、装具一式。
【請求項２３】  該一つ以上の保持具が、該一つ以上の細長い部材の一又は両側面に沿って縦方向に配置された、凹所と突起物とを噛合わせるよう適応させられており、凹所と突起物とは９０度以下の相対角度を有していることを特徴とする、請求項２２の装具一式。
【請求項２４】  該一つ以上の物品が、用役を受容するように適応させられていることを特徴とする、請求項２２の装具一式。
【請求項２５】  乗物に物品を搭載する方法であって：
少なくとも一つの凹所を有する一つ以上の細長い部材を、乗物の車内天井部、車内積荷部及び車内側壁部の少なくとも一箇所に連結させること；
物品に一つ以上の保持具を取り付けること、該一つ以上の保持具は、少なくとも部分的に該一つ以上の細長い部材を取り囲み且つ該凹所と作動可能状態で噛合うよう適応させられた形状を有する；及び
該一つ以上の保持具と該一つ以上の細長い部材を解放可能状態で噛合わせることにより、該一つ以上の細長い部材に該物品を搭載すること；
から成る方法。
【請求項２６】  該物品にエネルギーを与える工程が更に含まれることを特徴とする、請求項２５の方法。
【請求項２７】  物品にエネルギーを与える工程が、一つ以上の用役運搬具に該一つ以上の細長い部材内の通路を貫通した経路を設けること、を包含することを特徴とする、請求項２６の方法。
【請求項２８】  該物品にエネルギーを与える工程が、少なくとも該一つ以上の細長い部材の一部が電気的に伝導性であるように該一つ以上の細長い部材の材料を選択すること、を包含することを特徴とする、請求項２６の方法。
【請求項２９】  該物品を第二の交換可能物品に取り替える工程が更に含まれることを特徴とする、請求項２５の方法。
【請求項３０】  該物品を取り替える工程が、工具なしで達成されることを特徴とする、請求項２９の方法。
【請求項３１】  該一つ以上の細長い部材が、乗物内の天井部に連結されていることを特徴とする、請求項２５の方法。
【請求項３２】  該一つ以上の細長い部材が、乗物内の積荷部に物品を搭載するように適応させられていることを特徴とする、請求項２５の方法。
【請求項３３】  該一つ以上の保持具が、該一つ以上の細長い部材の一面又は両側面に沿って縦方向に配置された、凹所と突起物とを掴むように構成された一つ以上の掴み部を有しており、凹所と突起物とは９０度以下の相対角度を有していることを特徴とする、請求項２５の方法。
【請求項３４】  該一つ以上の掴み部が、凹所内で内側に向かって解放可能状態での保持を強制されることを特徴とする、請求項３３の方法。
【請求項３５】  乗物の内部に物品を取り付けるための装置であって：
該内部の天井部、積荷部及び側壁部の少なくとも一箇所に連結された少なくとも一つの切り欠きを有する一つ以上の部材；
該内部に沿って該一つ以上の部材に搭載するよう適応された一つ以上の物品；
該一つ以上の物品に連結され、且つ該一つ以上の部材との切り欠きのインターフェイス機能を果たすよう適応させられている一つ以上の保持具であり、該一つ以上の保持具が、該一つ以上の部材と一直線上に並ぶように該一つ以上の物品上に配置されるもの；
から成ることを特徴とする装置。
【請求項３６】  該一つ以上の部材が、該一つ以上の部材の一又は両側面に沿って縦方向に配置された凹所を有することを特徴とする、請求項３５の装置。
【請求項３７】  該一つ以上の保持具は、該一つ以上の物品が該一つ以上の部材上に搭載された時該凹所に噛合うよう適応させられた掴み部を有することを特徴とする、請求項３５の装置。
【請求項３８】  該一つ以上の保持具が、該掴み部に凹所内で内側に向かって解放可能状態での保持を強制するような、弾力性のある材料からなることを特徴とする、請求項３５の装置。
【請求項３９】  該一つ以上の保持具が、掛け金を備え、該掛け金が作動した時に掴み部が凹所から開放されることを特徴とする、請求項３５の装置。
【請求項４０】  該掛け金が摺動可能状態で作動することを特徴とする、請求項３９の装置。
【請求項４１】  該掛け金が旋回可能状態で作動することを特徴とする、請求項３９の装置。
【請求項４２】  該掛け金が押しボタン作動することを特徴とする、請求項３９の装置。
【請求項４３】  該一つ以上の保持具が、該部材と噛合う一つ以上の締め具であることを特徴とする、請求項３５の装置。
【請求項４４】  乗物の内部天井部に連結された少なくとも一つの細長い部材から成る乗物の天井装置に物品を取り付ける方法であって：
該細長い部材に隣接して配置されるよう適応させられた連結領域を、該物品に設けること；及び
該物品を該細長い部材に連結するために、該細長い部材の側面に設けられた凹所と動作可能状態で噛合うよう適合させられた、保持具部材を該物品に設けること；
から構成されることを特徴とする方法。
【請求項４５】  該物品が、細長い部材からのエネルギーの供給を受けるように構成されていることを特徴とする、請求項４４の方法。
【請求項４６】  該物品が、エネルギー供給を提供するために、該細長い部材の電気伝導性部分に作動可能状態で噛合うよう適応させられていることを特徴とする、請求項４５の方法。
【請求項４７】  該物品が、エネルギー供給を提供するための配線コネクターを備えていることを特徴とする、請求項４５の方法。
【請求項４８】  該少なくとも一つの細長い部材が一対の細長い部材であって、該連結領域が一対の連結領域であることを特徴とする、請求項４４の方法。
【請求項４９】  該保持具部材が、該物品を解放可能状態で該細長い部材に固定するように構成されていることを特徴とする、請求項４４の方法。
【請求項５０】  該保持具部材が、該細長い部材上の止め金面に噛合うよう適応させられていることを特徴とする、請求項４４の方法。
【請求項５１】  該止め金面が、該細長い部材上に突起物を形成する凹所であることを特徴とする、請求項５０の方法。
【請求項５２】  該保持具部材が、該部材を該細長い部材に固定するための噛合わせ位置において、該保持具部材に一方向に偏った力を与えるよう適応させられた弾性部分を備えることを特徴とする、請求項４４の方法。
【請求項５３】  該弾性部分が該細長い部材の第一の側面と噛合うことを特徴とする、請求項５２の方法。
【請求項５４】  該弾性部分が該細長い部材の第一の側面及び第二の側面と噛合うことを特徴とする、請求項５２の方法。
【請求項５５】  乗物の内部天井部に連結された少なくとも一つのレールを有する乗物において、天井装置と共に使用するための物品であって：
該レールに合うように適応させられた輪郭を有する本体部；
該本体部に連結され、且つ該物品が該天井装置と共に使用される時該レールと一直線上に並ぶように配置される、少なくとも一つの保持具部材；
から成り、
該保持具部材は、該本体部を該レールに連結するため該レールに設けられた、少なくとも一つの切り欠きとのインターフェイス機能を果たすよう適応させられている物品。
【請求項５６】  該少なくとも一つのレールが、非円形輪郭を有する一対のレールであることを特徴とする、請求項５５の物品。
【請求項５７】  該保持具部材が、解放可能状態で該本体部を該レールに固定するよう適応させられていることを特徴とする、請求項５５の物品。
【請求項５８】  該保持具部材が、該レールによって噛合わせ位置に該物品を保持するよう適応させられた弾性部を備えることを特徴とする、請求項５５の物品。
【請求項５９】  該保持具部材が、連結する方向に偏った力を受けていることを特徴とする、請求項５５の物品。
【請求項６０】  該保持具部材が、発条で偏った力を与えられていることを特徴とする、請求項５９の物品。
【請求項６１】  該保持具部材が、該レール上の止め金面と噛合うよう適応させられていることを特徴とする、請求項５５の物品。
【請求項６２】  該止め金面が凹所であることを特徴とする、請求項６１の物品。
【請求項６３】  該凹所が、突起物を提供するように構成されていることを特徴とする、請求項６２の物品。
【請求項６４】  該物品が、該レールからエネルギー供給を受けるように構成されていることを特徴とする、請求項５５の物品。